(57)【要約】【課題】設置性に優れ、しかも記録媒体の着脱が容易な制御装置を提供する。【解決手段】    高さ寸法より横幅寸法が小さく、この横幅寸法より奥行寸法が小さい筺体１０の両側面に記録媒体の挿入口１６，１８と外部装置用のコネクタ部２１とを分けて配置し、この筺体１０内に着脱可能な記憶媒体へのデータの記録再生を可能にする媒体記憶装置１５，１７と、内部記憶装置２２と、この制御装置の統括的な制御を行うマザーボード２３を備えた制御装置において、筺体１０を、媒体記憶装置１５，１７を備えた前部筺体２４と、マザーボード２３と内部記憶装置２２とを備えた後部筺体２５とに分割し、後部筺体２５に対して前部筺体２４が上方にずれた外観構造とし、前部筺体２４を上方にずらして形成したことによって筺体１０の上下端部に形成される空間２６，２７に面した筺体面に吸排気口３１を設け、前部筺体２４の側面に挿入口１６，１８を設ける。【選択図】  図１
2008251083.tif 000002
【特許請求の範囲】
【請求項１】
高さ寸法より横幅寸法が小さく、この横幅寸法より奥行寸法が小さい筺体の両側面に記録媒体の挿入口と外部装置用のコネクタ部とを分けて配置し、この筺体内に着脱可能な記憶媒体へのデータの記録再生を可能にする媒体記憶装置と、内部記憶装置と、この制御装置の統括的な制御を行うマザーボードを備えた制御装置において、
前記筺体を、前記媒体記憶装置を備えた前部筺体と、前記マザーボードと前記内部記憶装置とを備えた後部筺体とに分割し、
前記後部筺体に対して前部筺体が上方にずれた外観構造とし、
前記前部筺体を上方にずらして形成したことによって前記筺体の上下端部に形成される空間に面した筺体面に吸排気口を設け、
前記前部筺体の側面に前記挿入口を設けた
ことを特徴とする制御装置。
【請求項２】
請求項１記載の制御装置において、
前記後部筺体の下端部に着脱可能な脚部を備え、前記前部筺体の底面に吸排気口を設けた
ことを特徴とする制御装置。
【請求項３】
請求項１または２記載の制御装置において、
前記挿入口を設けた前記前部筺体の側面から前記後部筐体の側面にスライド移動して前記挿入口を開閉する可動蓋を備えた
ことを特徴とする制御装置。
【発明の詳細な説明】
【技術分野】
【０００１】
本発明は、ＤＶＤやＣＤ等の光学記録媒体あるいは小型ハードディスクなどの着脱可能な記録媒体を備えた制御装置の筺体構造に関するものである。
【背景技術】
【０００２】
一般家庭やオフィスでは、パーソナルコンピュータ（以下パソコンという）が広く普及している。これらパソコンは、携帯型、ノート型、デスクトップ型などの各種タイプがある。特に、デスクトップ型のパソコンでは、表示装置と、キーボードやマウスなどの入力装置と、制御装置とから構成されるのが一般的である。そして近年では、入力装置は使い勝手の面からその形態はあまり変わらないものの、表示装置は大型化し、制御装置は小型化が図れている。特に、制御装置は、ハードディスクを備えていることから、ハードディスクレコーダーとパソコンとの融合も進み、また薄型テレビの高解像度化に伴い、薄型テレビをパソコンのディスプレイとして使用することも進みつつあることから、制御装置は単なるパソコンの制御装置だけでなく一般家庭の電子化の中心となるサーバー機能を備えるようになっている。
【０００３】
これら制御装置は、通常、あまり使用しない装置を内蔵しているため、函型の筺体の一面に利用頻度の高いＤＶＤやＣＤ等の着脱可能な光学記録媒体の挿入口を備え、他のマイコンを有するマザーボードや拡張基板あるいはハードディスクを筺体内に内蔵する構造と成っている。このため、従来の制御装置は、前記挿入口を備えた筺体面のみがデザインされ、他の筺体面は強度面と排気面が考慮された構造を取っていた。したがって、これら制御装置は机の下や表示装置の下部などの目に触れない場所に設置するケースが多かった。
【０００４】
しかし、近年の小型化と記録媒体の使い勝手の面からこれら制御装置も利用者の目に付きやすい場所に設置されるようになっている。このため、従来の一面のみがデザインされた筺体構造から筺体面全体がデザインされた多様な形態の筺体構造を持ったものが提案されている。
【０００５】
【特許文献１】意匠登録第１０９３３９１号公報
【特許文献２】特開２００１−１４８５８０号公報
【発明の開示】
【発明が解決しようとする課題】
【０００６】
前記従来例は、吸排気用のスリットが筺体の周囲や一面に配置されて強調されたデザインとなっており、従来の一面のみデザインされた筺体と異なるデザイン性に優れた形態を備えている。
【０００７】
しかしながら、前記従来例は、張出部の前面にスリットが強調されているため、このスリットの清掃性や設置場所との環境整合が図りにくい課題を備えている。また、着脱可能な記録媒体の着脱時の使い勝手が配慮されていないとの課題もまた備えている。
【０００８】
そこで、この発明の目的とするところは、設置性に優れ、しかも記録媒体の着脱が容易な制御装置を提供することにある。
【課題を解決するための手段】
【０００９】
前記目的を達成するために、本発明に係る制御装置は、高さ寸法より横幅寸法が小さく、この横幅寸法より奥行寸法が小さい筺体の両側面に記録媒体の挿入口と外部装置用のコネクタ部とを分けて配置し、この筺体内に着脱可能な記憶媒体へのデータの記録再生を可能にする媒体記憶装置と、内部記憶装置と、この制御装置の統括的な制御を行うマザーボードを備え、前記筺体は、前記媒体記憶装置を備えた前部筺体と、前記マザーボードと前記内部記憶装置とを備えた後部筺体とに分割され、前記後部筺体に対して前部筺体が上方にずれた外観構造とし、前記前部筺体を上方にずらして形成したことによって前記筺体の上下端部に形成される空間に面した筺体面に吸排気口を設け、前記前部筺体の側面に前記挿入口を設ける構造とする。
【発明の効果】
【００１０】
本発明によれば、利用者から見え難く、かつ安定した給排気空間を確保できるので、設置性を向上することができるとともに、記録媒体の挿入口を高い位置に配置して着脱を容易にすることができる。また、本発明によれば、横置きにした状態で左右が壁等で塞がれていても、吸排気空間を確保することができる。
【発明を実施するための最良の形態】
【００１１】
以下、図１から図７を参照して、本実施の形態に係る制御装置の構造を具体的に説明する。ここで、図１は本実施の形態に係る制御装置の概略構造図である。図２は制御装置の部品展開図である。図３は制御装置の縦断面図である。図４と図５は制御装置の外観図であり、図４（ａ）が正面図、図４（ｂ）が右側面図、図４（ｃ）が平面図、図４（ｄ）が可動蓋の開蓋状態の右側面図、図５（ａ）が背面図、図５（ｂ）が左側面図である。図６は可動蓋の動作説明図である。図７は制御装置の設置状態の説明図である。なお、同一の部位や方向などは同一符号をもって示し、重複した説明を省略する。
【００１２】
先ず、図１を参照して、この実施の形態に係る制御装置の概略構造を説明する。図１において、ここで説明する制御装置１は、図示しない表示装置とキーボードやマウスと接続してパーソナルコンピュータを構成するものである。また、この制御装置１は、家庭内のサーバーとしての機能も有することができる。
【００１３】
この制御装置１は、高さ寸法Ｈ０より横幅寸法Ｗ０が小さく、この横幅寸法Ｗ０より奥行寸法Ｄ０が小さい、奥行き方向に薄く、縦型の筺体１０を備えている。この筺体１０は、前面及び裏面をフラットな平滑面１１とし、右側面を着脱可能な記録媒体の着脱口配置面１２とし、左側面を外部記録媒体とのコネクタ配置面１３としている。
【００１４】
前記着脱口配置面１２にはシャッタ構造の可動蓋１４を備え、この可動蓋１４の開閉により光学記録媒体やハードディスク、メモリーカード等の着脱を行うことができる。本実施形態では、可動蓋１４の開閉により、ＤＶＤ装置で構成される第１記録装置１５の第１着脱口１６と、着脱可能なハードディスク装置で構成される第２記録装置１７の第２着脱口１８とを隠蔽したり、露出させたりすることができる。ここで、第１記録装置１５は、第１着脱口１６から記録媒体の取付テーブル１９が出没する構造のものを採用しているが、スロットイン構造のものを採用しても良い。また、第２記録装置１７は、第２着脱口１８に図示しない開閉蓋が設けられ、この第２着脱口１８を介して小型のハードディスク筺体３３を前記第２記録装置１７内に挿入する構造のものを採用している。
【００１５】
また、前記筺体１０は、扁平な脚部２０が取り付けられており、奥行き方向に薄く、かつ縦型の筺体１０の姿勢を維持することができる。なお、この脚部２０は取り外すことができるので、この筺体１０を壁面に取り付けたり、あるいは、横姿勢でテーブル面などに設置することができる。
【００１６】
このように、この実施の形態に係る制御装置１は、高さ寸法Ｈ０より横幅寸法Ｗ０が小さく、この横幅寸法Ｗ０より奥行寸法Ｄ０が小さい筺体１０の両側面に記録媒体の挿入口１６、１８と外部装置用のコネクタ部２１とを分けて配置し、この筺体１０内に着脱可能な記憶媒体へのデータの記録再生を可能にする媒体記憶装置１５、１７と、内部記憶装置２２と、この制御装置１の統括的な制御を行うマザーボード２３を備えている。
【００１７】
そして、この実施の形態に係る制御装置１の大きな特徴の１つは、前記筺体１０を、前記媒体記憶装置１５、１７を備えた前部筺体２４と、前記マザーボード２３と内蔵記憶装置２２とを備えた後部筺体２５とに分割し、後部筺体２５に対して前部筺体２４を上方にずれた外観構造とした点にある。
【００１８】
即ち、図１の吹き出しの中に図示した制御装置１の断面図のように、この実施の形態に係る制御装置１の筺体１０は、マザーボード２３と内部記憶装置２２とを備えた後部筺体２５より、第１記録装置１５と第２記録装置１７を内蔵した前部筺体２４が上方にずれた構造としている。このずれた構造によれば、前部筺体２４の下部に高さＨ１の第１空間２６を確保することができ、また後部筺体２５の上方に高さＨ２の第２空間２７を形成することができる。
【００１９】
この構造によれば、形を大きさを認識する際に利用者に注目される筺体１０の上端部や下端部が薄く形成されるので、利用者に薄型感を与えることができる。しかも、筺体１０の前面は吸排気口３１のないすっきりした平滑面１１で形成されるので、意匠性を向上させることができる。特に、テーブル面の奥に置いてもフラットな衝立のように使うことができ、更に、記録媒体の着脱や配線は筺体１０の両側面で行うことができるので、使い勝手を良好とすることができる。
【００２０】
そして、この実施の形態に係る制御装置１の他の大きな特徴の１つは、前記筺体の上下端部に形成される前記ずれた筺体面に吸排気口３１を設けた点である。即ち、この実施の形態では、前部筺体２４を後部筺体２５に対して上方にずらして形成したことによって形成される第１空間２６と第２空間２７に面した筺体面を吸排気口配置面２８としている。この実施の形態では、下部の吸排気口配置面２８ａは、前部筺体２４の底面を構成する水平面に吸気口２９を設け、上部の吸排気口配置面２８ｂは、前部筺体２４の裏面を構成する垂直面に排気口３０を設けている。
【００２１】
この構造によれば、利用者に見え難い位置に吸排気口３１を配置することができるから、筺体１０を周囲の設置環境に調和しやすいフラット面で構成することができる。しかも、筺体１０の上下端部に形成される凹状の第１空間２６と第２空間２７に面する筺体面を吸排気口配置面２８とすることができるから、吸排気口３１が塞がれる課題を軽減することができるので、安定した排熱通路を確保することができる。
【００２２】
また、この実施の形態に係る制御装置１の他の大きな特徴の１つは、上方に立ち上がった前部筺体２４の側面に前記第１着脱口１６と第２着脱口１８を配置した点にある。この構造によれば、前記第１着脱口１６と第２着脱口１８に対する記録媒体の着脱を高い位置で行うことができるので、使い勝手が向上する。特に、前部筺体２４の下部に第１空間２６を形成することにより、設置面との間に高さＨ１の隙間が生まれるので、この隙間を利用して前記第２着脱口１８への媒体の着脱が容易となる。
【００２３】
以下、図２から図７を参照して、この実施の形態を更に詳細に説明する。先ず、図２と図３を参照して、この制御装置１の部品構成の代表的な事例を説明する。
【００２４】
図２および図３において、この制御装置１の筺体１０は、底板５０と、メインシャーシ５１と、両側面を構成する側板５２，５３と、前部カバー５４と、後部カバー５５とを含んで構成される。前記メインシャーシ５１は、筺体１０を前後に分割して筺体１０の主たる構造体を構成する。即ち、このメインシャーシ５１は、底板と側板５２，５３とで強固に結合されることで、筺体１０の主たる構造体５６を構成する。
【００２５】
そして、この構造体５６に前部カバー５４と後部カバー５５をネジなどを介して着脱可能に取り付けることにより筺体１０の内部実装空間を構成する。この実施の形態では、前記構造体５６の前部と前部カバー５４とで前部筺体２４を構成し、この構造体５６の後部と後部カバー５５とで後部筺体２５を構成する。ここで、前記メインシャーシ５１は複数の開口部を備えて、排熱の効率を高めている。また、このメインシャーシ５１は、内部実装空間に配置される各装置を取り付けるための取り付け部材としての機能を果たしている。
【００２６】
即ち、前部筺体２４内に上下に配置される第１記録装置１５と第２記録装置１７は、このメインシャーシ５１にネジなどを介して取り付けられる。ここで、通常、第１記録装置１５と第２記録装置１７及び内部記憶装置２２は、薄い箱型の筺体を備えている。この実施の形態では、これら記憶装置を取り付けるに当たり、この筺体１０の寸法体系に合わせて前記記憶装置の筺体の最も広い面が前後方向となるように取り付けるようにする。
【００２７】
一方、後部筺体２５内に配置される前記内部記憶装置２２とマザーボード２３も、メインシャーシ５１にネジなどを介して取り付けられる。ここで、マザーボード２３は板状の基板であるため、この板状の平面が前記メインシャーシ５１と平行となる姿勢で取り付ける。また、前記メインシャーシ５１あるいは内部記憶装置２２と両側板５３との間にはコネクタ部２１を構成するコネクタ基板３４が取り付けられる。更に、マザーボード２３には放熱するための放熱フィン部３５が取り付けられる。
【００２８】
この実施の形態で、電源部を外部に備えているため、筺体１０内には設けていないが、他の応用例として、電源部を前記後部筺体２５側に設けるようにしてもよい。また、図示していないが、必要により、排熱のための送風ファンを適宜設けるようにしてもよい。
【００２９】
また、筺体１０を保持する脚部２０は構造体５６の底板５０に着脱可能に保持することにより、堅固に筺体１０を安定支持することができる。
【００３０】
また、前記側板５２は、着脱口配置面１２を構成するものであり、第１着脱口１６と第２着脱口１８を構成する開口部形成されている。そして、この側板５２には、前記第１着脱口１６と第２着脱口１８を覆う可動蓋１４がシャッタ構造を備えて取り付けられている。この具体的な構造は後で述べる。また、この実施の形態では、この可動蓋１４の移動の如何にかかわらず常に隠蔽される位置に複数のＬＥＤランプからなる状態表示部３６が設けられている。この構造にともない、可動蓋１４の少なくとも一部は半透明な部材で形成される。なお、本実施形態では、状態表示部３６を複数のＬＥＤランプで構成しているが、状態表示部３６を液晶等の発光表示体で構成してもよい。
【００３１】
一方、側板５３は、コネクタ配置面１３を構成するものであり、後部筺体２５に設けられたコネクタ基板３４を露出してコネクタ部２１を構成するための開口部が形成されている。なお、この開口部は、増設基板３７を取り付けるための開口部としての機能も持っている。
【００３２】
図３において、この実施の形態では、後部筺体２５をメインシャーシ５１と底板５０と後部カバー５５などで構成し、この後部筺体２５を脚部２０を介して設置面に保持する。一方、前部筺体２４は、メインシャーシ５１の前面部と前部カバー５４とで構成する。この際、前部筺体２４を上方にずらして形成することで、前部筺体２４の下部と後部筺体２５の上部に第１空間２６と第２空間２７を形成している。
【００３３】
そして、この第１空間２６に面した筺体面、即ち、前部筺体２４の底面（水平面）と後部筺体２５の前面（垂直面）を吸排気口配置面２８とし、この吸排気口配置面２８に吸気口２９を形成する。同様に、第２空間２７の場合は、この第２空間２７に面した筺体面を前部筺体２４の裏面（垂直面）と後部筺体２５の上面（水平面）を吸排気口配置面２８とし、この吸排気口配置面２８に排気口３０を形成する。
【００３４】
この実施の形態では、前部筺体２４の底面に吸気口２９を形成し、前部筺体２４の裏面に排気口３０を形成している。この吸排気口３１の配置によれば、吸気口２９から取り込まれた空気は、前部筺体２４に配置される第２記録装置１７と第１記録装置１５を順に冷却して上部の排気口３０から排出される。一方、吸気口２９から取り込まれた空気は、メインシャーシ５１の開口部から後部筺体２５に至り、内部記憶装置２２とマザーボード２３に取り付けた放熱フィン部３５、更に増設基板３７を冷却した後、排気口３０から排出される。
【００３５】
この実施の形態では、送風ファンを使うことなく自然対流で筺体１０内を冷却して放出するようにしたが、必要により送風ファンを設けるようにする。
【００３６】
次に、図４と図５を参照して、制御装置１の外観構造を説明する。図４，５において、先ず、この制御装置１の外観形状のコンセプトは、奥行寸法Ｄ０が薄い同一形状の２つの箱型の筺体を準備し、１つを後部筺体２５として脚部２０でしっかりと支持し、この後部筺体２５の前部に他の１つの前部筺体２４が上方にずれるように、その後部の一部をラップさせて組み合わせた造形とした点である。この点は、図４（ｂ）と図４（ｄ）から明らかである。
【００３７】
そして、この筺体１０は、図４（ｄ）に示すように、右側面を着脱口配置面１２として、前部筺体２４の側面側に第１着脱口１６と第２着脱口１８とを上下に配置し、図５（ｂ）に示すように、対向する左側面には、吸排気口が設けられる吸排気口配置面２８として、後部筺体２５の側面に増設基板挿入口３８とコネクタ部２１とを上下に配置している。この基本的な配置構造によれば、図４（ａ）及び図５の（ａ）に示すように、筺体１０の最も広い筺体面には、機能要素のないフラットな平滑面１１で構成することができるから、平面が主体の設置環境に馴染んだ設置性のよい筺体構造とすることができる。一方、機能面では、両側面に機能要素を分散して配置しているので、配線や記録媒体の着脱などの使い勝手を維持しながら前記設置性を向上することができる。
【００３８】
また、この筺体構造によれば、前部筺体２４の下部に第１空間２６を形成することができるので、図５（ｃ）に示すように、この第１空間２６を空気取り込み通路として活用できる。この他、この実施の形態では、第１空間２６である前部筺体２４の下部に電源スイッチ３９を配置することで、誤動作を軽減することができる。近年、この種の制御装置１はサーバーとしての役割を果たすことが多く、このようなサーバーでは電源をＯＦＦすることが少ないので、この第１空間２６内に面した筺体面に電源スイッチ３９を設けることは有効である。
【００３９】
また、図５（ａ）及び図６（ａ）に破線で示したように、内部装置は冷却効果を維持しつつ効率よく配置することができるので、デッドスペースの少ないコンパクトな形態とすることができる。
【００４０】
また、図４（ｂ）と図４（ｃ）に示すように、この実施の形態では、着脱口配置面１２に前部筺体２４と後部筺体２５とをスライド移動する可動蓋１４を設けている。この可動蓋１４は、第１着脱口１６と第２着脱口１８とを開閉できる他、その移動の如何に係らず状態表示部３６を覆う構造としている。このシャッタ構造を図６で更に説明する。
【００４１】
図６において、図６（ａ）は可動蓋１４の移動構造を示す概略図、図６（ｂ）は第１着脱口１６などを隠蔽した外観図、図６（ｄ）は第１着脱口１６などを開放した外観図、図６（ｃ）は移動の過程を示す外観図である。なお、図６では、シャッタ構造を分かりやすく図示するために透視図で図示している。
【００４２】
前記したように、この筺体１０は、薄い同一形状を備えた箱体をその一部が前後に、かつ上下にずらしてラップして形成される構造を備えている。この実施の形態の可動蓋１４は、図６（ｂ）に示す前部筺体２４を覆う状態と、図６（ｄ）に示す後部筺体２５を覆う状態を取り得るように、両側板５２にスライド可能に取り付けられている。
【００４３】
この構造を実現するために、この実施の形態では、図６（ａ）の斜線部で示すように、可動蓋１４が図６（ｂ）の状態でも図６（ｃ）の状態でも常に隠蔽する領域６０があることに着目し、この領域６０に位置する側板５２に突出する支持ピン６１を上下に配置する。一方、スライドする可動蓋１４の内面には移動経路に沿った斜めの凹状溝６２を形成し、前記支持ピン６１が凹状溝６２内で脱落することなく移動可能に支持する。
【００４４】
また、この凹状溝６２に平行して平歯車６３を設け、この平歯車６３と噛み合う歯車６４を側板５２に設けるようにする。この歯車６４はその回転が抵抗を受けるように他の歯車やブレーキベルトなどを噛み合わせようにする。
【００４５】
このような、構造によれば、図６（ｂ）の状態から可動蓋１４を斜め下方に引き下ろすことにより、可動蓋１４を、図６（ｃ）の状態を経て図６（ｄ）の状態に移動させることができる。この際、可動蓋１４の移動は平歯車６３と歯車６４との噛み合いにより抵抗を受けるので、適度な抵抗を受けながら移動させることができるし、図６（ｂ）の状態も維持することができる。
【００４６】
前記した構造は、１つの実施例であり、この構造に限定されるものではない。例えば、前記歯車６４を電動で動かすことでもよいし、可動蓋１４と両側板５２の所定の位置に磁石を設けて、図６（ｂ）及び図６（ｄ）の状態を磁石の力で維持するようにしてもよい。
【００４７】
さて、この実施の形態では、領域６０に状態表示部３６を設けることで、状態表示部３６の取り付け構造を見え難くして、透明な材料で形成される可動蓋１４を通して間接的に状態表示部３６を見るようにしている。この実施の形態では、可動蓋１４に、図６（ｂ）の状態で状態表示部３６を覆う位置に「開放中」の文字が印刷された表示窓６５ａを設け、図６（ｄ）の状態で状態表示部３６を覆う位置に通常の表示窓６５ｂを設けている。そして、可動蓋１４の位置を検知する図示しないセンサーを設けて、表示窓６５ａが状態表示部３６を覆う際には状態表示部３６を全灯表示させて、可動蓋１４が開放中であることを表示し、表示窓６５ｂが状態表示部３６を覆う際には通常の状態表示とする。なお、状態表示部３６を液晶等の発光表示体で構成した場合には、例えば、「開放中」などの文字を視認可能に表示して、開放状態を示すようにしても良い。
【００４８】
図７（ａ）において、いままで詳細に説明したように、この実施の形態の制御装置１によれば、薄型で小型の外観形状を生かして、この制御装置１をテーブルの後方に設置し、その前部にキーボードなどをセットするなどの従来の筺体構造ではできなかった設置姿勢を取ることができる。この場合、第２記録装置１７を備えた前部筺体２４を後部筺体２５より上方にずらした構造としているので、第２着脱口１８を通常の位置より、上方にずらした高さＨ１だけ上方に移動させることができるので、第２着脱口１８へのデイスク筺体３３の着脱が容易となる。
【００４９】
また、図７（ｂ）に示すように、吸気口２９を上方にずらした前部筺体２４の下部の空間（第１空間２６）に設けたので、その前部をキーボードなどで塞がれても排熱通路を確保することができる。
【００５０】
また、図７（ｃ）に示すように、この実施の形態にかかる２つの筺体がずれた外観構造によれば、脚部２０を取り外して横姿勢で設置面にセットしても、２つの筺体をずらして形成される空間（第１空間２６、第２空間２７）に吸排気口３１を設けているので、筺体１０の上部や側方に本などが置かれても、吸排気口３１が塞がれることを軽減することができる。
【図面の簡単な説明】
【００５１】
【図１】本実施の形態に係る制御装置の概略構造図である。
【図２】制御装置の部品展開図である。
【図３】制御装置の縦断面図である。
【図４】制御装置の外観図である。
【図５】制御装置の外観図である。
【図６】可動蓋の動作説明図である。
【図７】制御装置の設置状態の説明図である。
【符号の説明】
【００５２】
１…制御装置、１０…筺体、１１…平滑面、１２…着脱面、１２…着脱口配置面、１３…コネクタ配置面、１４…可動蓋、１５…第１記録装置、１６…第１着脱口、１７…第２記録装置、１８…第２着脱口、１９…取付テーブル、２０…脚部、２１…コネクタ部、２２…内部記憶装置、２３…マザーボード、２４…前部筺体、２５…後部筺体、２６…第１空間、２７…第２空間、２８…吸排気口配置面、２９…吸気口、３０…排気口、３１…吸排気口、３３…デイスク筺体、３４…コネクタ基板、３５…放熱フイン部、３６…状態表示部、３７…増設基板、３８…増設基板挿入口、３９…電源スイッチ、５０…底板、５１…メインシャーシ、５２，５３…両側板、５４…前部カバー、５５…後部カバー、５６…構造体、６０…領域、６１…支持ピン、６２…凹状溝、６３…平歯車、６４…歯車、…高さ寸法Ｈ０、…横幅寸法Ｗ０、…奥行寸法Ｄ０。
【図１】
2008251083.tif 000003
【図２】
2008251083.tif 000004
【図３】
2008251083.tif 000005
【図４】
2008251083.tif 000006
【図５】
2008251083.tif 000007
【図６】
2008251083.tif 000008
【図７】
2008251083.tif 000009